(57)【要約】【課題】本発明は、本発明は、機能性と収納性の両者を満足するキッチンキャビネットを提供する。【解決手段】シンク２の排水口２ａは、シンク２の一方の側辺の近傍位置に配置されており、これと連結し鉛直軸下方向に延在するディスポーザー６も、開放空間８の長さ方向からみて、一方の側方に偏在した位置に配置される。また、水道水栓５も、シンク２の一方の側辺の近傍位置に配置することにより、給水管５ａをディスポーザー６の配置位置と隣接させ、これに伴い、浄水器７ａもディスポーザー６に隣接して配置する。これにより、ディスポーザー６、給水管５ａ及び浄水器７ａは、開放空間８の内方で、一方の側方側に集中配置され、開放空間８は長さ方向からみて鉛直方向で機能分割することができ、シンク２に係る設備が集中配置された一方側を設備領域８ａ、他方側を多機能領域８ｂとしている。【選択図】　図１
2004057403.tif 000002
【特許請求の範囲】
【請求項１】
シンクと、該シンクの下方に設けられる開放空間を備えたキッチンキャビネットであって、
前記開放空間が、長さ方向の一方を前記シンクに係る設備が集中配置される設備領域、他方を用途に応じて利用自在な多機能領域として、鉛直軸線で機能分割されることを特徴とするキッチンキャビネット。
【請求項２】
請求項１に記載のキッチンキャビネットにおいて、
前記多機能領域には、収納設備が備えられることを特徴とするキッチンキャビネット。
【発明の詳細な説明】
【０００１】
【発明の属する技術分野】
本発明は、住宅の厨房に設けられるキッチンキャビネットに関する。
【０００２】
【従来の技術】
従来より、図３に示すように、キッチン１２には複数箇所に設けられる収納設備１３だけでなく、食器洗浄器１４ａやコンベクション１４ｂ等の厨房設備１４、さらにはシンク１７に備え付けの浄水専用水栓１５及びディスポーザー１６等の装備を備えた多機能型のキッチン１２が求められている。
【０００３】
【発明が解決しようとする課題】
しかしながら、キッチン１２に食器洗浄器１４ａやコンベクション１４ｂ等の厨房設備１４を備えると、図３に示すようなＩ型のキッチン１２では特に、前記収納設備１３を配置するスペースを圧迫することとなりやすい。
そこで、シンク１７の下方に設けられた開放空間１８に、収納設備１３を追加して設ける構成とすると、この開放空間１８には浄水専用水栓１５に浄水を供給する浄水器１５ａや、ディスポーザー１６が配置されているため、これらと収納設備１３が干渉することとなる。このため、収納設備１３にキャビネット等を採用する場合には、例えば平面視を凹型に成形した異型の引出しとせざるを得ず、利便性に支障をきたす場合が多い。
【０００４】
上記事情に鑑み、本発明は、機能性と収納性の両者を満足するキッチンキャビネットを提供することを目的としている。
【０００５】
【課題を解決するための手段】
請求項１記載のキッチンキャビネットは、シンクと、該シンクの下方に設けられる開放空間を備えたキッチンキャビネットであって、前記開放空間が、長さ方向の一方を前記シンクに係る設備が集中配置される設備領域、他方を用途に応じて利用自在な多機能領域として、鉛直軸線で機能分割されることを特徴としている。
【０００６】
請求項２記載のキッチンキャビネットは、前記多機能領域には、収納設備が備えられることを特徴としている。
【０００７】
【発明の実施の形態】
以下、本発明のキッチンキャビネットを図１に示す。本発明は、シンクの下方に位置する開放領域を設備領域と多機能領域に機能分割して利用することにより、多機能領域に収納設備や厨房設備等、利用者のニーズに応じた機能を付加することを可能にするものである。
【０００８】
図１（ａ）に示すように、Ｉ型のキッチンキャビネット１は、シンク２と加熱調理台３とが並列に配置されており、図１（ｂ）に示すように、加熱調理台３の上方には換気装置４、シンク２の上方には収納設備１０が配置されている。また、前記加熱調理台３の周辺にはコンベクション１１ｂや食器洗浄器１１ａ等の厨房設備１１が設置されているとともに、水道水栓５が取り付けられているシンク２には、ディスポーザー６が備えられており、厨房機能の充実した重装備の多機能型のキッチンである。なお、前記シンク２の下方には、床面からシンク２の下面に達する高さ、シンク２とほぼ同程度の長さ及びシンク２とほぼ同程度の奥行きを有する開放空間８が設けられている。
【０００９】
ところで、前記シンク２は、図１（ｂ）に示すように、底部に排水口２ａが設けられており、該排水口２ａに前記ディスポーザー６が連結される構成となっている。該ディスポーザー６は、シンク２の排水口２ａから前記水道水栓５より供給される水道水とともに流された調理等により生じた厨芥を粉砕し、排水管６ａに排水する装置であり、シンク２の下方に位置する前記開放空間８の内方に、鉛直軸下方向に延在するように配置されている。
また、前記シンク２には、備え付け型の浄水専用水栓７が設けられており、該浄水専用水栓７には、浄水器７ａが設けられている。該浄水器７ａは、ディスポーザー６と同様に、シンク２の下方に位置する開放空間８に配置され、水道水栓５の給水管５ａより供給された水道水を浄化して浄水を生成し、これを浄水専用水栓７に供給するものである。
【００１０】
このようなシンク２に設けられた排水口２ａは、図１（ａ）に示すように、シンク２の中央ではなく一方の側辺の近傍位置に配置されている。したがって、排水口２ａと連結し鉛直軸下方向に延在するディスポーザー６も、シンク２の下方に位置する開放空間８の長さ方向からみて中央ではなく、一方の側方に偏在した位置に配置されている。
また、前記水道水栓５についても、前記排水口２ａと同様にシンク２の一方の側辺の近傍位置に配置することにより、給水管５ａをディスポーザー６の配置位置と隣接させ、これに伴い、水道水栓５の給水管５ａより水道水を供給される浄水器７ａも前記ディスポーザー６に隣接して配置している。このような配置により、ディスポーザー６、給水管５ａ及び浄水器７ａ等のシンク２に係る設備は、図１（ｂ）に示すように、前記開放空間８の長さ方向からみて、一方の側方側に集中配置されることとなる。したがって、該開放空間８は、長さ方向からみて鉛直軸線を境界として、シンク２に係る設備が集中配置された一方側を設備領域８ａ、他方側を多機能領域８ｂとして位置づけられて機能分割されることとなる。
なお、設備領域８ａには、片開き扉９が備えられており、これを開くことのみで前記ディスポーザー６や浄水器７等のメンテナンス作業を行うことができる構成としている。
【００１１】
このように、前記シンク２に係る設備を設備領域８ａに収めることにより、多機能領域８ｂは、奥行き方向にも障害物が存在することのない平面視長方形の空間を確保することができる。そこで、該多機能領域８ｂには、図１（ｂ）に示すように、収納設備１０を設けている。該収納設備１０には、引き出しを２段設けたダブルキャビネットが設けられているが、先にも述べたように奥行き方向に障害物がないため、図示しない引き出しの平面視形状は、奥行き全長を利用した一般的な長方形に成形されている。また、該多機能領域８ｂは、これにこだわるものではなく、図２に示すように、食器洗浄器１１ａやコンベクション１１ｂ等の厨房設備１１を設ける構成としてもよい。この場合には、従来厨房設備１１が設けられていた前記加熱調理台３の近傍位置に収納設備１０を確保すればよい。
このように、前記開放空間８の多機能領域８ｂは、利用者のニーズを反映し、用途に応じた様々な機能を自在に付加することのできる多機能空間として位置づけるものである。
【００１２】
本実施の形態では、キッチンキャビネット１にＩ型モデルを用いて詳述したが、これにこだわるものではなく、何れのモデルに本発明を用いてもよい。
また、本実施の形態では、シンク２の排水口２ａをシンク２の一方の側辺の近傍位置に配置するとともに、水道水栓５もシンク２の一方の側辺近傍に配置し、これらに付随するディスポーザー６や給水管５ａ、浄水器７ａ等のシンク２に係る設備を鉛直軸下方向に設けることにより、これらは前記開放空間８の長さ方向からみて、一方の側方側に集中配置され、開放空間８に設備領域８ａが設けられる構成とした。しかし、これにこだわるものではなく、前記シンク２の排水口２ａや、水道水栓５等を、シンク２の何れの位置に設けた場合にも、前記給水管５ａや排水口２ａとディスポーザー６を連結する図示しない排水管を折れ線状に配置し、できる限り前記開放空間８の上方の高さ位置から開放空間８の長さ方向からみて、何れか一方の側方側に偏在させるように集中配置することにより、開放空間８には、長さ方向で鉛直軸線を境界とした左右各々に、設備領域８ａ及び多機能領域８ｂを設置することが可能である。
【００１３】
このように、本実施の形態はあくまでも一つの事例であり、本発明の趣旨を逸脱しない限り、本実施の形態に限定されずに、いかなる形態をも採用しうることは言うまでもない。
【００１４】
上述する構成によれば、前記シンク２の下方に設けられた開放空間８に対して、ディスポーザー６、給水管５ａ及び浄水器７ａ等のシンク２に係る設備類を一方の側方に集中配置し、長さ方向からみて鉛直に分割された一方を設備領域８ａ、他方を多機能領域８ｂとして機能分割する構成としたことから、該多機能領域８ｂには設備類等の障害物が奥行き方向まで存在することなく、奥行き全長を利用した平面視長方形の空間を確保できることとなり、利用者のニーズに応じた機能を持たせることが可能となる。
また、前記多機能領域８ｂに収納設備１０を設けることにより、限られたキッチンスペースの中で、収納力の高いキッチンキャビネット１を実現することが可能となる。
さらに、前記シンク２の下方に設けられた開放空間８における設備領域８ａには、ディスポーザー６、給水管５ａ及び浄水器７ａ等のシンク２に係る設備類が集中配置されているため、メンテナンスを容易に行うことが可能となる。
【００１５】
【発明の効果】
請求項１記載のキッチンキャビネットによれば、シンクと、該シンクの下方に設けられる開放空間を備えたキッチンキャビネットであって、前記開放空間が、長さ方向の一方を前記シンクに係る設備が集中配置される設備領域、他方を用途に応じて利用自在な多機能領域として、鉛直軸線で機能分割されることから、該多機能領域には設備類等の障害物が奥行き方向にも存在することなく、奥行き全長を利用した平面視長方形の空間を確保することができることとなり、利用者のニーズに応じた機能を持たせることが可能となる。
また、前記設備領域には、ディスポーザー、給水管及び浄水器等のシンクに係る設備類が集中配置されているため、メンテナンス作業を容易に行うことが可能となる。
【００１６】
請求項２記載のキッチンキャビネットによれば、前記多機能領域には、収納設備が備えられることから、限られたキッチンスペースの中で、収納力の高いキッチンキャビネットを実現することが可能となる。
【図面の簡単な説明】
【図１】本発明のキッチンキャビネットを示す図である。
【図２】本発明のキッチンキャビネットの他の事例を示す図である。
【図３】従来のキッチンを示す図である。
【符号の説明】
１　キッチンキャビネット
２　シンク
２ａ　排水口
３　加熱調理台
４　換気装置
５　水道水栓
５ａ　給水管
６　ディスポーザー
６ａ　排水管
７　浄水専用水栓
７ａ　浄水装置
８　開放空間
８ａ　設備領域
８ｂ　収納領域
９　　片開き扉
１０　収納設備
１１　厨房設備
１１ａ　食器洗浄器
１１ｂ　コンベクション
１２　キッチン
１３　収納設備
１４　厨房設備
１４ａ　食器洗浄器
１４ｂ　コンベクション
１５　浄水器
１６　ディスポーザー
１７　シンク
１８　開放空間
【図１】
2004057403.tif 000003
【図２】
2004057403.tif 000004
【図３】
2004057403.tif 000005